(57)【特許請求の範囲】
【請求項１】
無線通信システムの移動局（ＭＳ）においてＨＡＲＱ（Ｈｙｂｒｉｄ  Ａｕｔｏｍａｔｉｃ  Ｒｅｐｅａｔ  ｒｅＱｕｅｓｔ）方式を用いてデータを再伝送するための方法であって、前記方法は、
基地局（ＢＳ）からリソースインデックスフィールドを含むアップリンク基本割当Ａ−ＭＡＰ情報要素（ＩＥ）を受信することを含み、
前記リソースインデックスフィールドが特定値に設定された場合には、前記ＭＳは、前記アップリンク基本割当Ａ−ＭＡＰ  ＩＥに含まれるＨＡＲＱチャネル識別子に対応するＨＡＲＱサブパケットを再伝送せず、
前記リソースインデックスフィールドが前記特定値以外の値に設定された場合には、前記ＭＳは、前記特定値以外の前記値により示されるリソースを介して前記ＨＡＲＱサブパケットを再伝送する、方法。
【請求項２】
前記特定値以外の前記値は、リソースの位置およびリソース割当の大きさを示す、請求項１に記載の方法。
【請求項３】
前記リソースインデックスフィールドの大きさは、１１ビットであり、前記リソースインデックスフィールドの前記特定値が、０ｂ１１１１１１１１１１１である、請求項１に記載の方法。
【請求項４】
無線通信システムにおいてＨＡＲＱ（Ｈｙｂｒｉｄ  Ａｕｔｏｍａｔｉｃ  Ｒｅｐｅａｔ  ｒｅＱｕｅｓｔ）方式を用いてデータを再伝送するための移動局（ＭＳ）装置であって、前記ＭＳ装置は、
基地局（ＢＳ）からリソースインデックスフィールドを含むアップリンク基本割当Ａ−ＭＡＰ情報要素（ＩＥ）を受信するように構成されている受信モジュールと、
前記リソースインデックスフィールドが特定値に設定された場合には、前記ＭＳが、前記アップリンク基本割当Ａ−ＭＡＰ  ＩＥに含まれるＨＡＲＱチャネル識別子に対応するＨＡＲＱサブパケットを再伝送せず、前記リソースインデックスフィールドが前記特定値以外の値に設定された場合には、前記ＭＳが、前記特定値以外の前記値により示されるリソースを介して前記ＨＡＲＱサブパケットを再伝送するように制御するように構成されているプロセッサと
を含む、ＭＳ装置。
【請求項５】
前記特定値以外の前記値は、リソースの位置およびリソース割当の大きさを示す、請求項４に記載のＭＳ装置。
【請求項６】
前記リソースインデックスフィールドの大きさは、１１ビットであり、前記リソースインデックスフィールドの前記特定値が、０ｂ１１１１１１１１１１１に設定される、請求項４に記載のＭＳ装置。
【発明の詳細な説明】
【技術分野】
【０００１】
本発明は、無線通信システムに係り、ＨＡＲＱ方式を用いてデータを再伝送する方法及びこれを用いる端末装置に関するものである。
【背景技術】
【０００２】
ハイブリッド自動再送要求（ＨＡＲＱ：Ｈｙｂｒｉｄ  Ａｕｔｏｍａｔｉｃ  Ｒｅｔｒａｎｓｍｉｓｓｉｏｎ  Ｒｅｑｕｅｓｔ）とは、初期データ伝送における誤り発生による再伝送の回数を減らすために、最初に伝送された情報と再伝送された情報とを結合してデコーディングする、改善された自動再送要求方式のことをいう。このようなＨＡＲＱ方式は、ＩＥＥＥ  ８０２．１６ｍシステムだけでなく、他の移動通信システムでも用いられる技術に該当する。以下では、従来のＩＥＥＥ  ８０２．１６システムおけるアップリンクＨＡＲＱのためのリソース割当方法について簡略に説明する。
【０００３】
基地局からアップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）を受信した端末は、アップリンク基本割当Ａ−ＭＡＰ  ＩＥにより割り当てられたリソースを通じて、ＨＡＲＱデータのサブパケットを伝送する。基地局は、データバースト（ｄａｔａ  ｂｕｒｓｔ）のデコーディングを試み、もしデコーディングに成功すると、端末に肯定受信確認信号（ＡＣＫ：ａｃｋｎｏｗｌｄｅｇｅｍｅｎｔ）を送信する。しかし、これと違い、基地局がデコーディングに失敗すると、基地局は端末に否定受信確認信号（ＮＡＣＫ：Ｎｅｇａｔｉｖｅ  Ａｃｋｎｏｗｌｅｄｇｅｍｅｎｔ）を伝送する。基地局が再伝送のために端末にリソースを割り当てる時に、基地局はアップリンク基本割当Ａ−ＭＡＰを伝送しなくてもよい。こうする場合には、基地局は再伝送のためのサブフレームで、以前サブパケットのために割り当てられた領域と同じ位置及び大きさで端末にリソースを割り当てる。もし、基地局が再伝送のためのリソースを割り当てるためにアップリンク基本割当Ａ−ＭＡＰを伝送する場合に、基地局は、当該Ａ−ＭＡＰで示す領域にリソースを割り当てる。
【０００４】
基地局からＮＡＣＫ信号を受信した端末は、再伝送手順を行う。再伝送手順において、端末がＨＡＲＱデータバースト伝送のためのアップリンク基本割当Ａ−ＭＡＰ  ＩＥを受信できないと、端末は、同一のＡＣＩＤを持つ最後のサブパケット伝送で割り当てられたリソースを通じて次のサブパケットを伝送する。基地局は、再伝送のための制御情報を伝達する目的で端末にアップリンク基本割当Ａ−ＭＡＰ  ＩＥを伝送することができ、端末が再伝送のためのアップリンク基本割当Ａ−ＭＡＰ  ＩＥを受信すると、端末はアップリンク基本割当Ａ−ＭＡＰ  ＩＥで指示するＨＡＲＱ再伝送を行うことができる。
【０００５】
図１は、従来のアップリンクＨＡＲＱ手順の一例を示す図である。
【０００６】
図１を参照すると、基地局は、端末のデータ伝送のためのアップリンクリソースをＡ領域に割り当てたことを示すアップリンク基本割当Ａ−ＭＡＰ  ＩＥを、端末に伝送する（Ｓ１１０）。基地局からアップリンク基本割当Ａ−ＭＡＰ  ＩＥを受信した端末は、該ＩＥが示すリソース領域（Ａ領域）を通じて、ＨＡＲＱバーストのサブパケットを伝送する（Ｓ１２０）。もし、端末の伝送したパケットに誤りが発生してこれを基地局がデコーディングできないと、基地局は、伝送されたパケットに誤りが生じた事実を端末に知らせるために、端末にＮＡＣＫ信号を伝送する（Ｓ１３０）。その後、基地局は、指定された時点に、端末が誤りの生じたパケットを再伝送できるように、アップリンク基本割当Ａ−ＭＡＰ無しで最後に誤りの生じたパケット伝送のためのリソースと同じ位置及び大きさのリソースを端末に割り当てる（Ｓ１４０）。端末がＮＡＣＫ信号は受信したが、再伝送のためのアップリンク基本割当Ａ−ＭＡＰ  ＩＥを受信しなかった場合に、端末は、最後に伝送したリソース領域と同じ位置及び大きさの領域（Ａ領域）を用いて再伝送パケットを伝送する（Ｓ１５０）。基地局は、割り当てられたＡ領域を通じて端末から再伝送されたパケットを正しく受信すると、それに対する応答として端末にＡＣＫ信号を伝送する（Ｓ１６０）。このように、基地局は、端末が誤りの生じたパケットを再伝送できるように、端末が最後に伝送したリソース領域と同じ位置及び大きさの領域を割り当てて知らせる。
【０００７】
図２は、従来のアップリンクＨＡＲＱ手順の他の例を示す図である。
【０００８】
図２を参照すると、図１におけると同様に、基地局は、端末のデータ伝送のためのアップリンクリソースをＡ領域に割り当てたことを示すアップリンク基本割当Ａ−ＭＡＰ  ＩＥを伝送する（Ｓ２１０）。基地局からアップリンク基本割当Ａ−ＭＡＰ  ＩＥを受信した端末は、該ＩＥが示すリソース領域（Ａ領域）を通じて、ＨＡＲＱバーストのサブパケットを伝送する（Ｓ２２０）。もし、端末の伝送したパケットに誤りが発生して基地局がそのデコーディングに失敗すると、基地局は、伝送されたパケットに誤りの生じた事実を端末に知らせるために、端末にＮＡＣＫ信号を伝送する（Ｓ２３０）。その後、基地局は、指定された時点に、端末が誤りの生じたパケットを再伝送できるようにリソースを割り当てる時に、該当のＡＣＩＤに対して最も最近に割り当てたリソースと異なる情報（例えば、異なる位置または異なる大きさ）を持つリソースを割り当てるために、アップリンク基本割当Ａ−ＭＡＰ  ＩＥを端末に伝送する（Ｓ２４０）。端末がＮＡＣＫ信号を受信すると共に、再伝送のためのアップリンク基本割当Ａ−ＭＡＰ  ＩＥを受信すると、端末は、当該Ａ−ＭＡＰ  ＩＥが示すリソース領域（Ｂ領域）に再伝送パケットを伝送する（Ｓ２５０）。基地局は、割り当てられた領域（Ｂ領域）を通じて端末から再伝送されたパケットを正しく受信すると、それに対する応答として端末にＡＣＫ信号を伝送する（Ｓ２６０）。このように、基地局は、端末が誤りの生じたパケットを再伝送できるように、端末に新しいアップリンクリソース領域（Ｂ領域）を割り当てて知らせる。
【０００９】
ＨＡＲＱ手順において、割当Ａ−ＭＡＰ  ＩＥ（ａｓｓｉｇｎｍｅｎｔ  Ａ−ＭＡＰ  ＩＥ）、ＨＡＲＱサブパケット、及びサブパケットに対応するフィードバックは、あらかじめ指定された時間に行われる。アップリンクにおいて端末のＨＡＲＱサブパケットの再伝送は、事前に定義された時間に伝送される。
【００１０】
図３は、ＩＥＥＥ  ８０２．１６ｍシステムにおいて、データバーストのプロセシング時間が３サブフレーム区間であり、１フレーム内のダウンリンク／アップリンクサブフレーム個数の比率が５：３の時におけるＨＡＲＱ伝送タイミングを示す図である。
【００１１】
図３を参照すると、基地局が、１番目のフレームにおけるダウンリンクサブフレームインデックスが１であるサブフレーム３１０でアップリンクＭＡＰを端末に伝送すると、端末は、３サブフレーム後である１番目のフレームにおけるアップリンクサブフレームインデックスが０であるサブフレーム３２０でアップリンクデータを基地局に伝送する。端末から１番目のフレームにおけるアップリンクサブフレームインデックスが０であるサブフレーム３２０を通じてアップリンクデータバーストが伝送されると、基地局は、３サブフレーム後である２番目のフレームにおけるダウンリンクサブフレームインデックスが１であるサブフレーム３３０でＨＡＲＱフィードバック情報を端末に伝送する。もし基地局から、２番目のフレームにおけるダウンリンクサブフレームインデックスが１であるサブフレームでＮＡＣＫ信号が伝送されると、３サブフレーム後である２番目のフレームにおけるアップリンクサブフレームインデックス０であるサブフレーム３４０に再伝送のためのリソースを割り当てることができる。これと違い、基地局が端末にＮＡＣＫ信号を伝送する時に、アップリンクリソース情報を変更させるために、ＮＡＣＫ信号の伝送されるサブフレームと同じサブフレームでアップリンクリソース割当情報（Ｕｐｌｉｎｋ  Ｂａｓｉｃ  Ａｓｓｉｇｎｍｅｎｔ  Ａ−ＭＡＰ  ＩＥ）を伝送してもよい。
【００１２】
このように、アップリンクＨＡＲＱが同期式（ｓｙｎｃｈｒｏｎｏｕｓ）で動作すると、特定パケットの再伝送時点において他のパケットの伝送によって当該時点に再伝送のためのリソースを割り当てることができない場合がある。この場合に、基地局は再伝送のためのＭＡＰを端末に伝送できないことがある。端末が再伝送する時点にアップリンク基本割当Ａ−ＭＡＰ  ＩＥを受信できないと、端末は、同一のＡＣＩＤに対して最も最近に伝送したリソース領域と同じ領域を用いて再伝送パケットを伝送する。しかし、このようなパケット再伝送は他のパケットの伝送を妨げることがある。この問題点についての詳細を以下に説明する。
【００１３】
図４は、基地局が再伝送のためのリソースを割り当てることができない時に生じうる問題点を説明するための図である。
【００１４】
図４を参照すると、基地局は、端末のデータ伝送のためのアップリンクリソースをＡ領域に割り当てたことを示すアップリンク基本割当Ａ−ＭＡＰ  ＩＥを伝送する（Ｓ４１０）。基地局からアップリンク基本割当Ａ−ＭＡＰ  ＩＥを受信した端末は、当該ＩＥが示すリソース領域（Ａ領域）を通じてＨＡＲＱバーストのサブパケットを伝送する（Ｓ４２０）。もし、端末の伝送したパケットに誤りが発生して基地局がデコーディングできないと、基地局は、伝送されたパケットに誤りの生じた事実を端末に知らせるために、端末にＮＡＣＫ信号を伝送する（Ｓ４３０）。その後、基地局は、指定された時点に、端末が誤りの生じたパケットを再伝送するためのリソースを割り当てることができないと、基地局は端末にリソース割当のためのアップリンクＡ−ＭＡＰを伝送しなくなる。この場合、端末は基地局からＡ−ＭＡＰなくＮＡＣＫ信号のみを受信する（Ｓ４４０）。端末は基地局から再伝送のためのアップリンク基本割当Ａ−ＭＡＰ  ＩＥを受信できなかったため、端末は、最も最近に伝送したリソース領域と同じ位置及び大きさに該当する領域（例えば、Ａ領域）を用いて再伝送パケットを伝送する（Ｓ４５０）。もし、端末が伝送するリソース領域が他の端末によって用いられると、他の端末によって伝送されるパケットに誤りが生じてしまい、基地局が両端末からパケットを受信できないという深刻な問題につながる。よって、このような問題点を解決する必要がある。
【発明の概要】
【発明が解決しようとする課題】
【００１５】
本発明が達成しようとする技術的課題は、ＨＡＲＱ（Ｈｙｂｒｉｄ  Ａｕｔｏｍａｔｉｃ  Ｒｅｐｅａｔ  ｒｅＱｕｅｓｔ）方式を用いてデータを再伝送する方法を提供することである。
【００１６】
本発明が達成しようとする他の技術的課題は、ＨＡＲＱ方式を用いてデータを再伝送する端末装置を提供することである。
【００１７】
本発明が達成しようとする技術的課題は、上記の技術的課題に制限されず、言及していない他の技術的課題は、下の記載から、本発明の属する技術分野における通常の知識を有する者には明確に理解されるであろう。
【課題を解決するための手段】
【００１８】
上記の技術的課題を達成するための、本発明に係る端末がＨＡＲＱ（Ｈｙｂｒｉｄ  Ａｕｔｏｍａｔｉｃ  Ｒｅｐｅａｔ  ｒｅＱｕｅｓｔ）方式を用いてデータを再伝送する方法は、基地局から特定フレームでリソースインデックスフィールドを含むアップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）情報を受信し、前記受信したアップリンク基本割当Ａ−ＭＡＰ  ＩＥをデコーディングすること、を含み、前記リソースインデックスフィールドが特定値に設定された場合に、前記アップリンク基本割当Ａ−ＭＡＰ  ＩＥに含まれたＨＡＲＱチャネル識別子であるＡＣＩＤに対応するＨＡＲＱサブパケットを、前記特定フレームで再伝送しない。
【００１９】
ここで、前記リソースインデックスフィールドの特定値は、すべてのビットが０に設定された値、またはすべてのビットが１に設定された値でよい。また、前記リソースインデックスフィールドは９ビットまたは１１ビットである。
【００２０】
上記の技術的課題を解決するための、本発明に係る端末がＨＡＲＱ（Ｈｙｂｒｉｄ  Ａｕｔｏｍａｔｉｃ  Ｒｅｐｅａｔ  ｒｅＱｕｅｓｔ）方式を用いてデータを再伝送する方法は、基地局から第１フレームでリソースインデックスフィールドを含む第１アップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）情報を受信し、前記受信した第１アップリンク基本割当Ａ−ＭＡＰ  ＩＥをデコーディングし、前記リソースインデックスフィールドが特定値に設定された場合に、前記第１アップリンク基本割当Ａ−ＭＡＰ  ＩＥに含まれたＨＡＲＱチャネル識別子であるＡＣＩＤに対応するＨＡＲＱサブパケットを、事前に設定された第１フレーム内の特定サブフレームを通じて伝送せず、前記第１フレームに後続する第２フレームで前記第１フレーム内の特定サブフレームと同じインデックスを持つサブフレームを通じて前記ＨＡＲＱサブパケットを伝送すること、を含む。
【００２１】
ここで、前記リソースインデックスフィールドの特定値はすべてのビットが０に設定された値、またはすべてのビットが１に設定された値でよい。
【００２２】
本発明の他の課題を解決するための、本発明に係る端末がＨＡＲＱ（Ｈｙｂｒｉｄ  Ａｕｔｏｍａｔｉｃ  Ｒｅｐｅａｔ  ｒｅＱｕｅｓｔ）方式を用いてデータを再伝送する方法は、基地局から第１フレームで第１リソースインデックスフィールドを含む第１アップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）情報を受信し、前記受信した第１アップリンク基本割当Ａ−ＭＡＰ  ＩＥをデコーディングし、前記第１リソースインデックスフィールドが特定値に設定された場合に、前記基地局から前記第１フレームまたは第２フレームで第２リソースインデックスフィールドを含む第２アップリンク基本割当Ａ−ＭＡＰ  ＩＥを受信し、前記第２リソースインデックスフィールドが指示するサブフレームを通じて、前記第１アップリンク基本割当Ａ−ＭＡＰ  ＩＥに含まれたＨＡＲＱチャネル識別子であるＡＣＩＤに対応するＨＡＲＱサブパケットを再伝送すること、を含み、ここで、前記第２リソースインデックスフィールドは、前記第１リソースインデックスフィールドの特定値と異なる値に設定されたものでよい。
【００２３】
本発明のさらに他の課題を解決するための、本発明に係る端末装置は、基地局からリソースインデックスフィールドを含むアップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）情報を受信する受信モジュールと、前記受信したアップリンク基本割当Ａ−ＭＡＰ  ＩＥをデコーディングし、前記リソースインデックスフィールドが特定値に設定された場合に、前記アップリンク基本割当Ａ−ＭＡＰ  ＩＥに含まれたＨＡＲＱチャネル識別子であるＡＣＩＤに対応するＨＡＲＱサブパケットを再伝送しないように制御するプロセッサと、を含む。
【００２４】
本発明のさらに他の課題を解決するための、本発明に係る端末装置は、基地局から第１フレームでリソースインデックスフィールドを含む第１アップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）情報を受信する受信モジュールと、前記受信したアップリンク基本割当Ａ−ＭＡＰ  ＩＥをデコーディングし、前記リソースインデックスフィールドが特定値に設定された場合に、前記第１アップリンク基本割当Ａ−ＭＡＰ  ＩＥに含まれたＨＡＲＱチャネル識別子であるＡＣＩＤに対応するＨＡＲＱサブパケットを、事前に設定された第１フレーム内の特定サブフレームを通じて伝送せず、前記第１フレームに後続する第２フレームで前記第１フレーム内の特定サブフレームと同じインデックスを持つサブフレームを通じて、前記ＨＡＲＱサブパケットを伝送するように制御するプロセッサと、前記第２フレームにおいて前記第１フレーム内の特定サブフレームと同じインデックスを持つサブフレームを通じて、前記ＨＡＲＱサブパケットを伝送する伝送モジュールと、を含む。
【００２５】
本発明のさらに他の課題を解決するための、本発明に係る端末装置は、基地局から第１フレームで第１リソースインデックスフィールドを含む第１アップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）情報を受信する受信モジュールと、前記受信した第１アップリンク基本割当Ａ−ＭＡＰ  ＩＥをデコーディングし、前記第１リソースインデックスフィールドが特定値に設定された場合に、前記基地局から前記第１フレームまたは第２フレームで第２リソースインデックスフィールドを含む第２アップリンク基本割当Ａ−ＭＡＰ  ＩＥを受信すると、前記第２リソースインデックスフィールドが指示するサブフレームを通じて、前記第１アップリンク基本割当Ａ−ＭＡＰ  ＩＥに含まれたＨＡＲＱチャネル識別子であるＡＣＩＤに対応するＨＡＲＱサブパケットを再伝送するように制御するプロセッサと、前記第２リソースインデックスフィールドが指示するサブフレームを通じて、前記第１アップリンク基本割当Ａ−ＭＡＰ  ＩＥに含まれたＨＡＲＱチャネル識別子であるＡＣＩＤに対応するＨＡＲＱサブパケットを再伝送する伝送モジュールと、を含み、前記第２リソースインデックスフィールドは、前記特定値と異なる値に設定される。
本発明は、例えば以下の項目を提供する。
（項目１）
無線通信システムにおいて端末がＨＡＲＱ（Ｈｙｂｒｉｄ  Ａｕｔｏｍａｔｉｃ  Ｒｅｐｅａｔ  ｒｅＱｕｅｓｔ）方式を用いてデータを再伝送する方法であって、
基地局から特定フレームでリソースインデックスフィールドを含むアップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）情報を受信し、
前記受信したアップリンク基本割当Ａ−ＭＡＰ  ＩＥをデコーディングすること、
を含み、
前記リソースインデックスフィールドが特定値に設定された場合に、前記アップリンク基本割当Ａ−ＭＡＰ  ＩＥに含まれたＨＡＲＱチャネル識別子であるＡＣＩＤに対応するＨＡＲＱサブパケットを、前記特定フレームで再伝送しないことを特徴とするデータ再伝送方法。
（項目２）
前記リソースインデックスフィールドの特定値は、すべてのビットが０に設定された値、またはすべてのビットが１に設定された値であることを特徴とする、項目１に記載のデータ再伝送方法。
（項目３）
前記リソースインデックスフィールドは９ビットまたは１１ビットであることを特徴とする、項目１に記載のデータ再伝送方法。
（項目４）
無線通信システムにおいて端末がＨＡＲＱ（Ｈｙｂｒｉｄ  Ａｕｔｏｍａｔｉｃ  Ｒｅｐｅａｔ  ｒｅＱｕｅｓｔ）方式を用いてデータを再伝送する方法であって、
基地局から第１フレームでリソースインデックスフィールドを含む第１アップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）情報を受信し、
前記受信した第１アップリンク基本割当Ａ−ＭＡＰ  ＩＥをデコーディングし、
前記リソースインデックスフィールドが特定値に設定された場合に、前記第１アップリンク基本割当Ａ−ＭＡＰ  ＩＥに含まれたＨＡＲＱチャネル識別子であるＡＣＩＤに対応するＨＡＲＱサブパケットを、事前に設定された第１フレーム内の特定サブフレームを通じて伝送せず、前記第１フレームに後続する第２フレームで前記第１フレーム内の特定サブフレームと同じインデックスを持つサブフレームを通じて前記ＨＡＲＱサブパケットを伝送すること、
を含むことを特徴とするデータ再伝送方法。
（項目５）
前記リソースインデックスフィールドの特定値はすべてのビットが０に設定された値、またはすべてのビットが１に設定された値であることを特徴とする、項目４に記載のデータ再伝送方法。
（項目６）
前記リソースインデックスフィールドは、９ビットまたは１１ビットであることを特徴とする、項目４に記載のデータ再伝送方法。
（項目７）
無線通信システムにおいて端末がＨＡＲＱ（Ｈｙｂｒｉｄ  Ａｕｔｏｍａｔｉｃ  Ｒｅｐｅａｔ  ｒｅＱｕｅｓｔ）方式を用いてデータを再伝送する方法であって、
基地局から第１フレームで第１リソースインデックスフィールドを含む第１アップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）情報を受信し、
前記受信した第１アップリンク基本割当Ａ−ＭＡＰ  ＩＥをデコーディングし、
前記第１リソースインデックスフィールドが特定値に設定された場合に、前記基地局から前記第１フレームまたは第２フレームで第２リソースインデックスフィールドを含む第２アップリンク基本割当Ａ−ＭＡＰ  ＩＥを受信し、
前記第２リソースインデックスフィールドが指示するサブフレームを通じて、前記第１アップリンク基本割当Ａ−ＭＡＰ  ＩＥに含まれたＨＡＲＱチャネル識別子であるＡＣＩＤに対応するＨＡＲＱサブパケットを再伝送すること、
を含み、
前記第２リソースインデックスフィールドは、前記第１リソースインデックスフィールドの特定値と異なる値に設定されたことを特徴とする、データ再伝送方法。
（項目８）
前記第１リソースインデックスフィールドの特定値は、すべてのビットが０に設定された値、またはすべてのビットが１に設定された値であることを特徴とする、項目７に記載のデータ再伝送方法。
（項目９）
前記第２リソースインデックスフィールドが指示するサブフレームは、前記第２リソースインデックスフィールドが設定された値に対応するサブフレームであることを特徴とする、項目７に記載のデータ再伝送方法。
（項目１０）
前記第１及び第２リソースインデックスフィールドは、９ビットまたは１１ビットであることを特徴とする、項目７に記載のデータ再伝送方法。
（項目１１）
無線通信システムでＨＡＲＱ（Ｈｙｂｒｉｄ  Ａｕｔｏｍａｔｉｃ  Ｒｅｐｅａｔ  ｒｅＱｕｅｓｔ）方式を用いてデータを再伝送するための端末装置であって、
基地局からリソースインデックスフィールドを含むアップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）情報を受信する受信モジュールと、
前記受信したアップリンク基本割当Ａ−ＭＡＰ  ＩＥをデコーディングし、前記リソースインデックスフィールドが特定値に設定された場合に、前記アップリンク基本割当Ａ−ＭＡＰ  ＩＥに含まれたＨＡＲＱチャネル識別子であるＡＣＩＤに対応するＨＡＲＱサブパケットを再伝送しないように制御するプロセッサと、
を含むことを特徴とする端末装置。
（項目１２）
前記リソースインデックスフィールドの特定値は、すべてのビットが０に設定された値またはすべてのビットが１に設定された値であることを特徴とする、項目１１に記載の端末装置。
（項目１３）
前記リソースインデックスフィールドは、９ビットまたは１１ビットであることを特徴とする、項目１１に記載の端末装置。
（項目１４）
無線通信システムにおいてＨＡＲＱ（Ｈｙｂｒｉｄ  Ａｕｔｏｍａｔｉｃ  Ｒｅｐｅａｔ  ｒｅＱｕｅｓｔ）方式を用いてデータを再伝送するための端末装置であって、
基地局から第１フレームでリソースインデックスフィールドを含む第１アップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）情報を受信する受信モジュールと、
前記受信したアップリンク基本割当Ａ−ＭＡＰ  ＩＥをデコーディングし、前記リソースインデックスフィールドが特定値に設定された場合に、前記第１アップリンク基本割当Ａ−ＭＡＰ  ＩＥに含まれたＨＡＲＱチャネル識別子であるＡＣＩＤに対応するＨＡＲＱサブパケットを、事前に設定された第１フレーム内の特定サブフレームを通じて伝送せず、前記第１フレームに後続する第２フレームで前記第１フレーム内の特定サブフレームと同じインデックスを持つサブフレームを通じて、前記ＨＡＲＱサブパケットを伝送するように制御するプロセッサと、
前記第２フレームにおいて前記第１フレーム内の特定サブフレームと同じインデックスを持つサブフレームを通じて、前記ＨＡＲＱサブパケットを伝送する伝送モジュールと、
を含むことを特徴とする端末装置。
（項目１５）
無線通信システムにおいてＨＡＲＱ（Ｈｙｂｒｉｄ  Ａｕｔｏｍａｔｉｃ  Ｒｅｐｅａｔ  ｒｅＱｕｅｓｔ）方式を用いてデータを再伝送するための端末装置であって、
基地局から第１フレームで第１リソースインデックスフィールドを含む第１アップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）情報を受信する受信モジュールと、
前記受信した第１アップリンク基本割当Ａ−ＭＡＰ  ＩＥをデコーディングし、前記第１リソースインデックスフィールドが特定値に設定された場合に、前記基地局から前記第１フレームまたは第２フレームで第２リソースインデックスフィールドを含む第２アップリンク基本割当Ａ−ＭＡＰ  ＩＥを受信すると、前記第２リソースインデックスフィールドが指示するサブフレームを通じて、前記第１アップリンク基本割当Ａ−ＭＡＰ  ＩＥに含まれたＨＡＲＱチャネル識別子であるＡＣＩＤに対応するＨＡＲＱサブパケットを再伝送するように制御するプロセッサと、
前記第２リソースインデックスフィールドが指示するサブフレームを通じて、前記第１アップリンク基本割当Ａ−ＭＡＰ  ＩＥに含まれたＨＡＲＱチャネル識別子であるＡＣＩＤに対応するＨＡＲＱサブパケットを再伝送する伝送モジュールと、
を含み、
前記第２リソースインデックスフィールドは、前記特定値と異なる値に設定されたことを特徴とする端末装置。
【発明の効果】
【００２６】
本発明で提案したＨＡＲＱ方式を用いてデータを再伝送することによって、基地局が端末の再伝送のためのアップリンクリソースを割り当てることができない時に発生するアップリンクパケット伝送による誤り発生を根本的に防止でき、結果として通信性能を顕著に向上させることができる。
【００２７】
本発明で得られる効果は、以上で言及した効果に制限されず、言及していない他の効果は、下の記載から、本発明の属する技術の分野における通常の知識を有する者には明確に理解されるであろう。
【図面の簡単な説明】
【００２８】
本発明に関する理解を助けるために詳細な説明の一部として含まれる添付の図面は、本発明の実施例を提供し、詳細な説明と共に本発明の技術的思想を説明する。
【図１】従来のアップリンクＨＡＲＱ手順の一例を示す図である。
【図２】従来のアップリンクＨＡＲＱ手順の他の例を示す図である。
【図３】ＩＥＥＥ  ８０２．１６ｍシステムにおいてデータバーストのプロセシング時間が３サブフレーム区間であり、１フレーム内のダウンリンク／アップリンクサブフレームの個数の比率が５：３である時におけるＨＡＲＱ伝送タイミングを示す図である。
【図４】基地局が再伝送のためのリソースを割り当てることができない時に発生する問題点を説明するための図である。
【図５】基地局が端末に再伝送のために割り当てるアップリンクリソースがないことを指示する一例を示す図である。
【図６】基地局が端末に再伝送のために割り当てるアップリンクリソースがないことを指示する方法の他の例を示す図である。
【図７】基地局が端末に割り当てるアップリンクリソースがないことを指示する方法のさらに他の例を示す図である。
【図８】基地局が再伝送のためのリソース領域をアップリンク割当レリバンスと関連したアップリンクサブフレームで割り当てることができない場合に、これを端末に指示する方法の一例を示す図である。
【図９】装置５０の構成要素を示すダイヤグラムである。
【発明を実施するための形態】
【００２９】
以下、本発明の好適な実施の形態を、添付の図面を参照して詳細に説明する。添付の図面と共に以下に開示される詳細な説明は、本発明の例示的な実施の形態を説明するためのもので、本発明が実施できる唯一の実施の形態を表すためのものではない。以下の詳細な説明は、本発明の完全な理解を提供するために具体的な細部事項を含む。しかし、当業者にはそれら具体的な細部事項なしにも本発明を実施できることが理解できる。例えば、以下の詳細な説明は、移動通信システムがＩＥＥＥ  ８０２．１６システムである例にして具体的に説明するが、ＩＥＥＥ  ８０２．１６システムの特有な事項を除けば、他の任意の移動通信システムにも適用可能である。
【００３０】
場合によって、本発明の概念が曖昧になることを避けるために、公知の構造及び装置を省略したり、各構造及び装置の核心機能を中心にしたブロック図の形式で示すことができる。また、本明細書全体において同一の構成要素には同一の図面符号を付して説明する。
【００３１】
なお、以下の説明において、端末はＡＭＳ（Ａｄｖａｎｃｅｄ  Ｍｏｂｉｌｅ  Ｓｔａｔｉｏｎ）、ＵＥ（Ｕｓｅｒ  Ｅｑｕｉｐｍｅｎｔ）、ＭＳ（Ｍｏｂｉｌｅ  Ｓｔａｔｉｏｎ）等のような移動または固定型のユーザー端の機器を総称するとする。また、基地局は、Ｎｏｄｅ  Ｂ、ｅＮｏｄｅ  Ｂ、ＢＳ（Ｂａｓｅ  Ｓｔａｔｉｏｎ）、ＡＰ（Ａｃｃｅｓｓ  Ｐｏｉｎｔ）等のような端末と通信するネットワーク端の任意のノードを総称するとする。
【００３２】
移動通信システムにおいて、端末（ＡＭＳ：Ａｄｖａｎｃｅｄ  Ｍｏｂｉｌｅ  Ｓｔａｔｉｏｎ）は、基地局からダウンリンク（Ｄｏｗｎｌｉｎｋ）を通じて情報を受信し、また、アップリンク（Ｕｐｌｉｎｋ）を通じて情報を伝送することができる。端末が伝送または受信する情報にはデータ及び種々の制御情報があり、端末が伝送または受信する情報の種類用途によって種々の物理チャネルが存在する。
【００３３】
本発明で用いられるＡＡＩサブフレームは、ＡＡＩ（Ａｄｖａｎｃｅｄ  Ａｉｒ  Ｉｎｔｅｒｆａｃｅ）により用いられるあらかじめ定義された持続期間（ｄｕｒａｔｉｏｎ）の構造化されたデータシーケンスのことを指し、通常、サブフレームと呼ぶこともできる。また、本発明で用いられるＡ−ＭＡＰ（Ａｄｖａｎｃｅｄ  ＭＡＰ）にはユニキャストサービス制御情報を含めて端末に伝送することが可能である。ユニキャストサービス制御情報は、ユーザー特定（ｕｓｅｒ  ｓｐｅｃｉｆｉｃ）制御情報及び非−ユーザー特定（ｎｏｎ−ｕｓｅｒ  ｓｐｅｃｉｆｉｃ）制御情報とに大別することができる。そして、ユーザー−特定制御情報は、割当情報（ａｓｓｉｇｎｍｅｎｔ  ｉｎｆｏｒｍａｔｉｏｎ）、ＨＡＲＱフィードバック情報、及び電力制御情報などにさらに細分化される。
【００３４】
基地局は、継続した割当（ｐｅｒｓｉｓｔｅｎｔａｌ  ｌｏｃａｔｉｏｎ）のようなあらかじめ割り当てられたリソースのゆえに、端末が再伝送するためのアップリンクリソースを割り当てることができない時に、該当の時点に、端末に現在サブフレームでＨＡＲＱチャネル識別子に該当する特定ＡＣＩＤに対する再伝送のためのリソースを割り当てることができないことを、ユニキャスト（ｕｎｉｃａｓｔ）方式で知らせることができる。そのため、端末は、アップリンク割当レリバンス（ＵＬ  ａｌｌｏｃａｔｉｏｎ  ｒｅｌｅｖａｎｃｅ）と関連したアップリンクサブフレームで不必要なパケットを伝送しない。
【００３５】
他の方法として、基地局は、該当の時点に、端末に特定ＡＣＩＤに対してアップリンク割当レリバンスに該当するアップリンクサブフレーム以外の他のアップリンクサブフレームでリソースを割り当てるということを端末に知らせることができる。そのため、端末は、アップリンク割当レリバンスに関連したアップリンクサブフレームでパケットを伝送せず、基地局が知らせる他のアップリンクサブフレームでパケットを再伝送することができる。すなわち、基地局は、他の時点に再伝送のためのアップリンクリソースを割り当てるということを端末に知らせることができる。
【００３６】
図５は、基地局が端末に再伝送のために割り当てるアップリンクリソースがないことを指示する一例を示す図である。
【００３７】
図５を参照すると、基地局は、端末のデータ伝送のためのアップリンクリソースをＡ領域に割り当てたことを示すアップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  ＩＥ）を伝送することができる（Ｓ５１０）。基地局からアップリンク基本割当Ａ−ＭＡＰ  ＩＥを受信した端末は、当該ＩＥが示すリソース領域（Ａ領域）を通じて新しいデータを伝送することができる（Ｓ５２０）。もし、端末の伝送したパケットに誤りが発生して基地局がそれをデコーディングできないと、基地局は、伝送されたパケットに誤りの生じた事実を端末に知らせるために、端末にＮＡＣＫ信号を伝送することができる（Ｓ５３０）。その後、基地局は、指定された時点で、端末に誤りの生じたパケットに対する再伝送のためのリソースを該当のサブフレームで割り当てることができないと、基地局は、端末にＮＡＣＫ信号を伝送するダウンリンクサブフレームで、該当のアップリンクサブフレームで端末のためのアップリンクリソースを割り当てることができない事実を端末に知らせることができる（Ｓ５４０）。
【００３８】
このように、端末は、ＮＡＣＫ信号に加えて、対応するアップリンクサブフレームで再伝送のためのリソースを割り当てることができないという情報を受信すると（Ｓ５４０）、当該対応するアップリンクサブフレームで基地局にパケットを再伝送しない。このように、端末が基地局から、割り当てられたアップリンクリソースがないという指示を受信すると、該当のＡＣＩＤに対する再伝送のためのアップリンク基本割当Ａ−ＭＡＰ  ＩＥを受信するためにタイマー（Ｔ＿Ａ−ＭＡＰ）を始動し（Ｓ５５０）、タイマーが満了するまで、割り当てられたＡ領域を用いて再伝送を行わずに待つ（Ｓ５６０）。該当のＡＣＩＤに対する再伝送のためのアップリンク基本割当Ａ−ＭＡＰ  ＩＥを継続して待つ（Ｓ５６０）。もし、端末が再伝送のためのアップリンク基本割当Ａ−ＭＡＰ  ＩＥを受信すると（Ｓ５７０）、タイマー（Ｔ＿Ａ−ＭＡＰ）を終了する。
【００３９】
図５の説明で述べたように、基地局は、端末の再伝送のためのアップリンクリソースを割り当てることができない場合に、端末に現在サブフレームで再伝送のためのアップリンクリソースを割り当てることができない事実を知らせることができる。
【００４０】
以下では、基地局が、端末に割り当てられたアップリンクリソースがないという情報を指示する方法について簡略に説明する。この指示方法は、新しいＡ−ＭＡＰ  ＩＥタイプを定義して伝送する場合と、既存のアップリンク基本割当Ａ−ＭＡＰ  ＩＥを伝送する場合とに大別される。
【００４１】
第一の場合として、基地局は、アップリンクリソース割当情報がないと知らせるＡ−ＭＡＰ  ＩＥタイプを新しく定義することができる。さらに、基地局は端末に新しく定義されたＡ−ＭＡＰ  ＩＥを伝送することができる。これと違い、基地局は、新しく定義されたＡ−ＭＡＰに、該当のＡＣＩＤ及びＡＩ＿ＳＮ（ＨＡＲＱ識別子シーケンス番号）に関するアップリンクリソース割当情報がないという事実を示す情報を含めて端末に伝送してもよい。
【００４２】
第二の場合として、基地局は、既存のアップリンク基本割当Ａ−ＭＡＰ  ＩＥを端末に伝送することができる。この時、基地局は、割り当てるアップリンクリソースがないということを知らせるために、既存のアップリンク基本割当Ａ−ＭＡＰ  ＩＥにリソースインデックス値を特定値に設定して端末に伝送することができる。このリソースインデックスは、該当のサブフレームで割り当てられたリソースの位置及び大きさを示す情報でよい。例えば、基地局は、リソースインデックスフィールドのすべてのビットを１に設定（例えば、リソースインデックスフィールドを０ｂ１１１１１１１１１１１に設定）したり、またはリソースインデックスフィールドのすべてのビットを０に設定（すなわち、０ｂ０００００００００００）して端末に伝送することができる。本発明では、説明の便宜のために、リソースインデックスフィールドの特定値をすべてのビットが１に設定された例にして説明する。もちろん、リソースインデックスフィールドの特定値は、すべてのビットが０に設定された値でもよい。リソースインデックスフィールドにおいて特定値は実際の状況でリソース割当のために用いられない値を表す。例えば、リソースインデックスの１１ビットがすべて１に設定される場合は、５〜１０ＭＨｚの帯域幅を有するシステムでは絶対に用いられず、２０ＭＨｚの帯域幅を有するシステムでは端末に１サブフレームのすべてのＬＲＵ（Ｌｏｇｉｃａｌ  Ｒｅｓｏｕｒｃｅ  Ｕｎｉｔ）を割り当てるということを示すもので、アップリンクサブフレームにアップリンク制御チャネルが常に存在するため、基地局が一つの端末に２０ＭＨｚの１サブフレームにおけるすべてのＬＲＵを割り当てる場合は発生しない。
【００４３】
または、基地局は、アップリンク基本割当Ａ−ＭＡＰ  ＩＥにおいて残ったフィールド１ビットを用いて、該当の時点でアップリンクリソースが割り当てられていないということを端末に知らせることもできる。または、基地局は、既存のアップリンク基本割当Ａ−ＭＡＰ  ＩＥにおける既存フィールドを組み合わせて、端末の再伝送のために割り当てられたアップリンクリソースがないということを端末に知らせることもできる。
【００４４】
図６は、基地局が端末に再伝送のために割り当てるアップリンクリソースがないことを指示する方法の他の例を示す図である。
【００４５】
図６を参照すると、図５における説明と同様に、基地局は、端末のデータ伝送のためのアップリンクリソースをＡ領域に割り当てたことを示すアップリンク基本割当Ａ−ＭＡＰ  ＩＥを伝送する（Ｓ６１０）。基地局からアップリンク基本割当Ａ−ＭＡＰ  ＩＥを受信した端末は、当該ＩＥが示すリソース領域（Ａ領域）を通じて新しいデータを伝送し（Ｓ６２０）、もし端末の伝送したパケットに誤りが発生して基地局がそれをデコーディングできないと、基地局は、伝送されたパケットに誤りの生じた事実を端末に知らせるために、端末にＮＡＣＫ信号を伝送することができる（Ｓ６３０）。その後、端末の再伝送のためのアップリンクリソースを割り当てる時点に、当該端末に割り当てるアップリンクリソースがないと、基地局は端末に、割り当てるアップリンクリソースがないからアップリンクでデータを再伝送しないように指示することができる（Ｓ６４０）。
【００４６】
この事実を知らせるために、基地局は、図５で説明したように、アップリンク基本割当Ａ−ＭＡＰ  ＩＥのリソースインデックスフィールドのすべてのビットを１に設定して伝送することができる（Ｓ６４０）。端末が、リソースインデックスのすべてのビットが１に設定されたアップリンク基本割当Ａ−ＭＡＰ  ＩＥを受信すると（Ｓ６４０）、端末は、Ａ−ＭＡＰ  ＩＥを受信したフレームでの特定サブフレームを通じてＨＡＲＱサブパケットを伝送せず、次のフレームにおける同一インデックスを持つサブフレームでＨＡＲＱサブパケットを伝送することができる。ここで、次のフレームにおける同一サブフレームとは、以前フレームで端末のＨＡＲＱサブパケット再伝送を行うように事前に設定されたアップリンクサブフレームのインデックスと同じインデックスを持つアップリンクサブフレームのことを指す。
【００４７】
一方、端末が基地局から他のアップリンク基本割当Ａ−ＭＡＰ  ＩＥを受信すると、受信した他のアップリンク基本割当Ａ−ＭＡＰ  ＩＥで指示されるアップリンクサブフレームでＨＡＲＱサブパケットを伝送することができる。ここで、端末が基地局から受信する他のアップリンク基本割当Ａ−ＭＡＰ  ＩＥは、基地局が端末の再伝送のためのアップリンクリソースを割り当てることができない内容を含む以前アップリンク基本割当Ａ−ＭＡＰ  ＩＥを伝送したフレームと同じフレームに該当してもよく、異なるフレームに該当してもよい。
【００４８】
下記の表１は、端末に割り当てるアップリンクリソースがないことを指示する情報を含むアップリンク基本割当Ａ−ＭＡＰ  ＩＥフォーマットの一例を示す。
【００４９】
【表１】
0005639173.tif 000002
アップリンク基本割当Ａ−ＭＡＰ  ＩＥは、すべての多重入力多重出力（ＭＩＭＯ：Ｍｕｌｔｉｐｌｅ−Ｉｎｐｕｔ  Ｍｕｌｔｉｐｌｅ−Ｏｕｔｐｕｔ）情報を、最初の伝送でも、再伝送でも含むことができる。しかし、アップリンクに対して再伝送が発生した場合に、端末のＭＩＭＯの情報は最初の伝送から変更されない。そのため、再伝送が発生する場合に、基地局は、再伝送のためのアップリンクリソース割当のためにアップリンク基本割当Ａ−ＭＡＰ  ＩＥを端末に送る時に、Ａ−ＭＡＰ  ＩＥにＭＩＭＯ関連情報を含めなくてもよい。端末は、再伝送のためのアップリンク基本割当Ａ−ＭＡＰ  ＩＥを受信し、割り当てられたリソース領域を用いて基地局にデータを伝送する時に、最初の伝送におけると同じＭＩＭＯ情報を用いて伝送することができる。
【００５０】
そのため、上記の表１に示すように、再伝送のためのアップリンク基本割当Ａ−ＭＡＰ  ＩＥにリソース割当指示子（Ｒｅｓｏｕｒｃｅ  ａｌｌｏｃａｔｉｏｎ  Ｉｎｄｉｃａｔｏｒ）を含めることで、再伝送のためのアップリンクリソースが該当のアップリンクサブフレームで割り当てられるか、或いは割り当てられないかを端末に知らせることができる。表１に示すように、リソース割当指示子を１ビット大きさで端末にシグナリングすることができる。例えば、リソース割当指示子が「１」に設定されると、このサブフレームでは再伝送のためのアップリンクリソースが割り当てられないことを指示する。
【００５１】
図７は、基地局が端末に割り当てるアップリンクリソースがないことを指示する方法の他の例を示す図である。
【００５２】
図７を参照すると、図６のＳ６１０乃至Ｓ６３０段階と同様に、端末は、最初の伝送のためのアップリンクリソース（Ａ領域）が割り当てられ（Ｓ７１０）、割り当てられたリソースを用いてデータを伝送し（Ｓ７２０）、基地局が端末から受信したデータをデコーディングするのに失敗すると、端末にＮＡＣＫ信号を伝送する（Ｓ７３０）。基地局は、指定された時点で、端末の伝送したパケットに誤りが発生してそれを再伝送できるようにリソースを割り当てようとする時に、もし再伝送のためのアップリンクリソースを該当のサブフレームで割り当てることができないと、端末にＮＡＣＫ信号を伝送するダウンリンクサブフレームで、端末の再伝送のためのリソースが他のアップリンクサブフレームに割り当てられるという情報を知らせることができる（Ｓ７４０）。この時、端末の再伝送のためのリソースが他のサブフレームに割り当てられるという情報には、他のアップリンクサブフレームのインデックス、他のアップリンクサブフレームで割り当てられた領域（例えば、Ｃ領域）に関する情報を含めることができる。
【００５３】
端末は基地局からＮＡＣＫ信号に加えて、該当のアップリンクサブフレームで端末の再伝送のためのリソースが割り当てられずに他のアップリンクサブフレームに割り当てられるという情報を受信すると（Ｓ７４０）、端末は、該当のアップリンクサブフレーム（Ａ領域）で基地局へパケットを再伝送せずに、受信したリソース割当領域情報を用いて他の特定アップリンクサブフレーム（Ｃ領域）を用いてパケットを再伝送することができる（Ｓ７５０）。
【００５４】
以下では、基地局が端末に指定されたアップリンクサブフレームではなく他のアップリンクサブフレームにアップリンクリソースを割り当てる方法について簡略に説明する。
【００５５】
第一に、アップリンク割当レリバンス（ｒｅｌｅｖａｎｃｅ）と関連したフレームではなく他のサブフレームでアップリンクリソースを割り当てることができる新しいＡ−ＭＡＰ  ＩＥタイプを定義することができる。基地局が端末に割当レリバンスと関連したアップリンクサブフレームでアップリンクリソースを割り当てることができない時に、他のサブフレームでリソースを割り当てるための新しいＡ−ＭＡＰ  ＩＥを端末に伝送することができる。端末の再伝送のためのＡ−ＭＡＰ  ＩＥは、アップリンク割当レリバンスと関連したアップリンクサブフレームから何番目のアップリンクサブフレームにリソースが割り当てられているかを示すサブフレームインデックス情報、及び該当のサブフレームにおけるリソース領域情報を含むことができる。この場合、該当のサブフレームにおけるリソース領域情報には、端末の再伝送のためのリソース領域が割り当てられた位置及び大きさを含むことができる。
【００５６】
第二に、基地局は、既存のアップリンク基本割当Ａ−ＭＡＰ  ＩＥを端末に伝送することができる。上述したように、端末の再伝送のためのアップリンク基本割当Ａ−ＭＡＰ  ＩＥにはＭＩＭＯ情報を含めなくてもよい。そのため、端末の再伝送のためのアップリンク基本割当Ａ−ＭＡＰ  ＩＥは、ＭＩＭＯ情報の代わりに、既存に割り当てる端末の再伝送のために、アップリンクサブフレームから何番目のアップリンクサブフレームにリソースを割り当てるかに関するリソース割当情報を含むことができる。
【００５７】
表２は、端末の再伝送のためのリソース割当情報を含むアップリンク基本割当Ａ−ＭＡＰ  ＩＥフォーマットの一例を示す。
【００５８】
【表２−１】
0005639173.tif 000003
【００５９】
【表２−２】
0005639173.tif 000004
表２を参照すると、端末の再伝送のためのアップリンク基本割当Ａ−ＭＡＰ  ＩＥは、割当レリバンス（ａｌｌｏｃａｔｉｏｎ  ｒｅｌｅｖａｎｃｅ）と関連したアップリンクサブフレームから何番目のサブフレームだけ離れているアップリンクサブフレームにリソースを割り当てるかに関するリソース割当情報を含むことができる。このようなリソース割当情報は、アップリンク基本割当Ａ−ＭＡＰ  ＩＥ内の「サブフレームインデックスフィールド」で指示することができる。サブフレームインデックスフィールドは、２ビット大きさであり、「００」は、割当レリバンスと関連した該当のフレームを指示するもので、一般に、Ａ−ＭＡＰが伝送されている現在ダウンリンクサブフレームから３サブフレームだけ離れているアップリンクサブフレームに、端末の再伝送のためのアップリンクリソースを割り当てることができるということを指示する。
【００６０】
そして、「０１」、「１０」、「１１」は、割当レリバンスと関連したアップリンクサブフレームからそれぞれ１個、２個、３個のサブフレーム後のアップリンクサブフレームに、端末の再伝送のためのアップリンクリソースが割り当てられるということを指示する。また、表２で、リソースインデックスは、１１ビット大きさで端末にシグナリングでき、リソースインデックスは、割当位置及び大きさを含むことができる。
【００６１】
下記の表３は、端末に割り当てるアップリンクリソースがないことを指示する情報を含むアップリンク基本割当Ａ−ＭＡＰ  ＩＥフォーマットの他の例を示す。
【００６２】
【表３】
0005639173.tif 000005
表３を参照すると、基地局は、アップリンク基本割当Ａ−ＭＡＰ  ＩＥのリソースインデックスフィールドのすべてのビットを１に設定して、このＩＥに含まれたＡＣＩＤ（ＨＡＲＱチャネル識別子）に対応するサブパケットに対するリソースを割り当てることができないことを知らせることができる。このような情報を受信した端末は、当該ＡＣＩＤ（ＨＡＲＱチャネル識別子）に対応するサブパケットを再伝送しない。
【００６３】
表４は、アップリンク基本割当Ａ−ＭＡＰ  ＩＥフォーマットのさらに他の例を示す図である。
【００６４】
【表４−１】
0005639173.tif 000006
【００６５】
【表４−２】
0005639173.tif 000007
表４を参照すると、端末の再伝送のためのアップリンク基本割当Ａ−ＭＡＰ  ＩＥは、リソース割当指示子、リソースインデックスフィールド及びサブフレームインデックスフィールドを含むことができる。ここで、リソース割当指示子は、もし現在フレームで端末の再伝送のためのアップリンクリソースが割り当てられない場合に（リソース割当指示子（Ｒｅｓｏｕｒｃｅ  ａｌｌｏｃａｔｉｏｎ  ｉｎｄｉｃａｔｏｒ）＝＝１であれば）、端末の再伝送のためのアップリンクリソースが該当のアップリンクサブフレームから何番目のサブフレーム後に割り当てられるかを示すサブフレームインデックス情報を含むことができる。
【００６６】
また、表４で、サブフレームインデックスフィールドを２ビット大きさで端末にシグナリングすることができる。表４におけるサブフレームインデックスは、割当レリバンスと関連したアップリンクサブフレームから何番目のアップリンクサブフレームに、端末の再伝送のためのアップリンクリソースが割り当てられるかを指示する。「００」、「０１」、「１０」、「１１」値はそれぞれ、上記割当レリバンスと関連したアップリンクサブフレームから１、２、３、４サブフレーム後のアップリンクサブフレームにリソースを割り当てたことを指示する。そして、表２におけると同様に、リソースインデックスは１１ビット大きさで端末にシグナリングされ、割り当てられたリソースの位置及び大きさ情報を含むことができる。
【００６７】
このように、表４に示すアップリンク基本割当Ａ−ＭＡＰ  ＩＥフォーマットは、現在Ａ−ＭＡＰ伝送されるサブフレームで基地局がアップリンクリソース割当情報を有しているか否かに関する情報を含み、端末の再伝送のためのアップリンク割当リソースが割当レリバンスアップリンクサブフレームからどれくらい離れているかに関する情報を含み、割り当てられたアップリンクリソースの位置及び大きさ情報を含む。
【００６８】
表５は、アップリンク再伝送割当Ａ−ＭＡＰ  ＩＥ（Ｕｐｌｉｎｋ  ｒｅｔｒａｎｓｍｉｓｓｉｏｎ  ａｓｓｉｇｎｍｅｎｔ  Ａ−ＭＡＰ  ＩＥ）フォーマットの一例を示す。
【００６９】
【表５】
0005639173.tif 000008
表５を参照すると、基地局は、割当レリバンスと関連したアップリンクサブフレームに端末の再伝送のためのリソースを割り当てることができない時に、他のアップリンクサブフレームにリソースを割り当てるために、アップリンク再伝送割当Ａ−ＭＡＰ  ＩＥを端末に伝送することができる。基地局から当該Ａ−ＭＡＰを受信した端末は、アップリンク割当レリバンスと関連したアップリンクサブフレームでリソースが割り当てられないということがわかる。そのため、端末は、アップリンク割当レリバンスと関連したアップリンクサブフレームで再伝送するパケットを伝送せず、アップリンク再伝送割当Ａ−ＭＡＰで指示するアップリンクサブフレームに割り当てられたリソースを用いて再伝送パケットを伝送することができる。表５では、表４と同様に、「サブフレームインデックス」フィールド及び「リソースインデックス」フィールドを含むことができる。
【００７０】
図８は、基地局が再伝送のためのリソース領域をアップリンク割当レリバンスと関連したアップリンクサブフレームで割り当てることができない場合に、それを端末に知らせる方法の一例を示す図である。
【００７１】
図８を参照すると、基地局は端末に再伝送のために割り当てられたアップリンクリソース領域（Ａ領域）を指示するために、アップリンク基本割当Ａ−ＭＡＰ  ＩＥを最初のフレームの２番目のダウンリンクサブフレーム（８１０）を用いて伝送することができる。基地局からアップリンク基本割当Ａ−ＭＡＰ  ＩＥを受信した端末は、アップリンク割当レリバンスに該当するサブフレーム（１番目のフレームの最初のアップリンクサブフレーム）（８２０）で、当該ＩＥが示すリソース領域（Ａ領域）を通じてＨＡＲＱバーストのサブパケットを基地局に伝送することができる。端末の伝送したパケットに誤りが発生して基地局がそれをデコーディングできないと、基地局は、パケットに誤りが発生した事実を知らせるために、該当のダウンリンクサブフレーム（２番目のフレームにおける２番目のダウンリンクサブフレーム）（８３０）で端末にＮＡＣＫ信号を伝送することができる。
【００７２】
基地局は、当該ダウンリンクサブフレーム（２番目のフレームにおける２番目ダウンリンクサブフレーム）（８３０）で、誤りの生じたパケットを端末が再伝送できるようにリソースを割り当てる時に、再伝送のためのリソースを当該サブフレームで割り当てることができない場合がありうる。この場合、基地局は端末にＮＡＣＫ信号を伝送するダウンリンクサブフレーム（２番目のフレームにおける２番目のダウンリンクサブフレーム）（８３０）で、端末の再伝送のためのリソースが他のアップリンクサブフレームに割り当てられるという情報を含むＡ−ＭＡＰ  ＩＥ（アップリンク基本割当Ａ−ＭＡＰ  ＩＥまたはアップリンク再伝送割当Ａ−ＭＡＰ  ＩＥ）を、端末に伝送することができる。端末は、ＮＡＣＫ信号に加えて、他のサブフレームに再伝送のためのリソースが割り当てられるという情報を受信すると、割当レリバンスと関連したアップリンクサブフレーム（２番目のフレームにおける最初のアップリンクサブフレーム）（８４０）で基地局へ再伝送パケットを伝送しない。
【００７３】
端末は、Ａ−ＭＡＰ  ＩＥに含まれたリソース割当情報であるサブフレームインデックス情報（例えば、サブフレームインデックス値）及び当該割り当てられたアップリンクサブフレームでのリソース割当領域情報を用いて、特定アップリンクサブフレーム（２番目のフレームの３番目のアップリンクサブフレーム）（８５０）で再伝送パケットを伝送すことができる。その後、基地局が２番目のフレームにおける３番目のアップリンクサブフレーム（８５０）で伝送されたパケットを受信してそれを成功的にデコーディングすると、３サブフレーム後である３番目のフレームにおける４番目のダウンリンクサブフレーム（８６０）でＡＣＫ信号を端末に伝送することができる。
【００７４】
下記の表６は、基地局が端末にＮＡＣＫ信号に加えて、アップリンク再伝送割当Ａ−ＭＡＰ  ＩＥを伝送する場合に、このアップリンク再伝送割当Ａ−ＭＡＰ  ＩＥフォーマットの他の例を示す。
【００７５】
【表６】
0005639173.tif 000009
表６を参照すると、図８で説明したように、基地局は、端末の再伝送のためのリソースを、割当レリバンスと関連したアップリンクサブフレーム（８４０）に割り当てることができない事実を、ＮＡＣＫ信号と共にアップリンク再伝送割当Ａ−ＭＡＰ  ＩＥ（リソース割当指示子＝１、サブフレームオフセット）を伝送することができる。基地局は、当該アップリンクサブフレーム（８４０）で再伝送のためのリソースを割り当てることができない時に、他のアップリンクサブフレーム（８５０）にリソースを割り当てるためのアップリンク再伝送割当Ａ−ＭＡＰを端末に伝送することができる。端末は、当該Ａ−ＭＡＰを受信すると、アップリンク割当レリバンスと関連したアップリンクサブフレーム（８４０）リソースが割り当てられないということがわかる。そのため、端末はアップリンク割当レリバンスと関連したアップリンクサブフレーム（８４０）で再伝送パケットを伝送せずに、アップリンク再伝送割当Ａ−ＭＡＰで指示するアップリンクサブフレーム（例えば、８６０）に割り当てられたリソースを用いて再伝送パケットを伝送することができる。
【００７６】
表７は、基地局が端末にＮＡＣＫ信号と共にアップリンク再伝送割当Ａ−ＭＡＰ  ＩＥを伝送する場合に、このアップリンク再伝送割当Ａ−ＭＡＰ  ＩＥフォーマットの他の例を示す。
【００７７】
【表７】
0005639173.tif 000010
表７を参照すると、表６と同様に、基地局は該当のアップリンクサブフレームで端末の再伝送のためのリソースを割り当てることができない時に、アップリンク再伝送割当Ａ−ＭＡＰを端末に伝送する。端末は、該アップリンク再伝送割当Ａ−ＭＡＰを受信すると、アップリンク割当レリバンスと関連したアップリンクサブフレームでリソースが割り当てられないと判断し、該アップリンクサブフレームに対して以前に割り当てられたリソース領域でアップリンクバーストを再伝送しない。
【００７８】
もし、アップリンク再伝送割当Ａ−ＭＡＰ  ＩＥに含まれたサブフレームオフセット指示子が０に設定されていると、これは、アップリンクリソース割当のためのアップリンク基本割当Ａ−ＭＡＰが伝送されるダウンリンクサブフレームでサブフレームオフセット情報を含んでいないということを意味する。そのため、端末は、どのアップリンクサブフレームでリソースが割り当てられるのかわからず、図５と同様に、所定時間の間にアップリンクバーストの再伝送のためのリソース割当情報を含んでいるＭＡＰ（例えば、アップリンク基本割当Ａ−ＭＡＰ）情報が到着することを待つ。端末が所定時間内にリソース割当のためのＭＡＰ情報を受信すると、ＭＡＰが示すアップリンクリソース領域でアップリンクバーストを伝送する。
【００７９】
一方、アップリンク再伝送割当Ａ−ＭＡＰ  ＩＥに含まれたサブフレームオフセット指示子が１に設定されていると、これは、アップリンク再伝送割当Ａ−ＭＡＰ  ＩＥで割り当てられるアップリンクリソースに関するサブフレームオフセット情報を含んでいるということを意味することができる。基地局は、サブフレームオフセットで定められたダウンリンクサブフレームで、アップリンクリソース割当ＭＡＰ（アップリンク基本割当Ａ−ＭＡＰ  ＩＥまたは他のリソース割当ＭＡＰ）を端末に伝送し、端末は、当該受信したサブフレームオフセット情報により定められたサブフレームでアップリンクリソース割当のためのＭＡＰを受信し、上記該当のリソース領域でアップリンクバーストを再伝送することができる。
【００８０】
サブフレームオフセット指示子を０に設定せずに、下記の表７や表８のようにサブフレームオフセット値の一部（例えば、０）を用いて、アップリンクＭＡＰレリバンスと関連した該当のアップリンクサブフレームでリソースが割り当てられないということを端末に知らせることもできる。もし、サブフレームオフセットが０に設定された場合に、端末は、基地局からアップリンクリソース割当のためのＭＡＰを受信するために所定時間待つ。
【００８１】
下記の表８及び表９はそれぞれ、アップリンク再伝送割当Ａ−ＭＡＰ  ＩＥフォーマットの他の例を示す。
【００８２】
【表８】
0005639173.tif 000011
【００８３】
【表９】
0005639173.tif 000012
基地局が最大サブフレームオフセット値（例えば、表７には８サブフレーム、表９では７サブフレーム）内でアップリンクリソースを割り当てることができれば、サブフレームオフセット指示子を１に設定したり、サブフレームオフセット値を０以外の値に設定することができる。もし、基地局がサブフレームオフセット値を０以外の値に設定できないと、サブフレームオフセット指示子を０に設定したり、サブフレームオフセット値を０に設定することができる。
【００８４】
上述したように、基地局からアップリンク割当Ａ−ＭＡＰ  ＩＥ（アップリンク基本割当Ａ−ＭＡＰ  ＩＥ、アップリンク再伝送割当Ａ−ＭＡＰ  ＩＥなどのような様々な用語と呼ぶことができる）を受信して、端末の再伝送のためのアップリンクリソース割当に関する情報を獲得することができる。この時、アップリンク割当Ａ−ＭＡＰ  ＩＥに含まれているリソースインデックスフィールドのすべてのビットが１に設定されていると、現在のフレームのアップリンク割当レリバンスと関連したサブフレームでデータ（例えば、ＨＡＲＱサブパケット）を再伝送しない。この場合には、次のフレームのアップリンク割当レリバンスと関連したサブフレームで再伝送することができる。このような方法を用いると、基地局が端末の再伝送のためのアップリンクリソースを割り当てることができない時に発生するアップリンクパケット伝送による誤り発生を防止することができる。
【００８５】
図９は、装置５０の構成要素を示すダイヤグラムである。この装置５０は、図７のＵＥまたはＢＳでよい。装置５０は、プロセッサ５１、メモリ５２、無線周波数ユニット（ＲＦユニット）５３、ディスプレイユニット５４、及びユーザーインターフェースユニット５５を含む。無線インターフェースプロトコルのレイヤー（ｌａｙｅｒｓ）は、プロセッサ５１内で具現される。プロセッサ５１は、制御プレーンとユーザープレーンを提供する。各レイヤーの機能はプロセッサ５１内で具現することができる。プロセッサ５１は、競合解決タイマー（ｃｏｎｔｅｎｔｉｏｎ  ｒｅｓｏｌｕｔｉｏｎ  ｔｉｍｅｒ）を含むことができる。メモリ５２はプロセッサ５１に接続してオペレーティングシステム、アプリケーション、及び一般ファイル（ｇｅｎｅｒａｌ  ｆｉｌｅｓ）を記憶する。もし装置５０が端末であれば、ディスプレイユニット５４は様々な情報をディスプレイし、ＬＣＤ（ｌｉｑｕｉｄ  ｃｒｙｓｔａｌ  ｄｉｓｐｌａｙ）、ＯＬＥＤ（ｏｒｇａｎｉｃ  ｌｉｇｈｔ  ｅｍｉｔｔｉｎｇ  ｄｉｏｄｅ）のような周知の要素を用いることができる。ユーザーインターフェースユニット５５は、キーパッド、タッチスクリーンなどのような周知のユーザーインターフェースの組み合わせで構成することができる。ＲＦユニット５３は、プロセッサ５１に接続して無線信号を送受信することができる。ＲＦユニット５３は、プロセッサにより制御された情報などを外部に伝送する伝送モジュール（図示せず）及び外部から信号、情報などを受信する受信モジュール（図示せず）を含むことができる。
【００８６】
端末のプロセッサ５１は、基地局から受信したアップリンク基本割当Ａ−ＭＡＰ  ＩＥをデコーディングし、リソースインデックスフィールドが特定値に設定されている場合に、当該アップリンク基本割当Ａ−ＭＡＰ  ＩＥに含まれているＨＡＲＱチャネル識別子であるＡＣＩＤに対応するＨＡＲＱサブパケットを再伝送しないように制御できる。また、端末のプロセッサ５１は、基地局から受信したアップリンク基本割当Ａ−ＭＡＰ  ＩＥをデコーディングし、リソースインデックスフィールドが特定値に設定されている場合に、第１アップリンク基本割当Ａ−ＭＡＰ  ＩＥに含まれたＨＡＲＱチャネル識別子であるＡＣＩＤに対応するＨＡＲＱサブパケットを、事前に設定された第１フレーム内の特定サブフレームを通じて伝送せず、第１フレームに後続する第２フレームで、第１フレーム内の特定サブフレームと同じインデックスを持つサブフレームを通じてＨＡＲＱサブパケットを伝送するように制御できる。また、端末のプロセッサ５１は、基地局から受信した第１アップリンク基本割当Ａ−ＭＡＰ  ＩＥ内のリソースインデックスフィールドが特定値に設定されている場合に、基地局から第１フレームまたは第２フレームで第２リソースインデックスフィールドを第２アップリンク基本割当Ａ−ＭＡＰ  ＩＥを受信すると、第２リソースインデックスフィールドが指示するサブフレームを通じて第１アップリンク基本割当Ａ−ＭＡＰ  ＩＥに含まれたＨＡＲＱチャネル識別子であるＡＣＩＤに対応するＨＡＲＱサブパケットを再伝送するように制御できる。
【００８７】
端末及びネットワーク間の無線インターフェースプロトコルのレイヤーを、通信システムで周知であるＯＳＩ（ｏｐｅｎ  ｓｙｓｔｅｍ  ｉｎｔｅｒｃｏｎｎｅｃｔｉｏｎ）モデルの下位の３層に基づいて第１レイヤー（Ｌ１）、第２レイヤー（Ｌ２）及び第３レイヤー（Ｌ３）に分類することができる。物理レイヤーまたはＰＨＹレイヤーは、第１レイヤーに属し、物理チャネルを通じて情報伝送サービスを提供する。ＲＲＣ（ｒａｄｉｏ  ｒｅｓｏｕｒｃｅ  ｃｏｎｔｒｏｌ）レイヤーは、第３レイヤーに属し、ＵＥ及びネットワーク間の制御無線リソースを提供する。ＵＥとネットワークとはＲＲＣレイヤーを通じてＲＲＣメッセージを交換する。
【００８８】
以上で説明された実施例は、本発明の構成要素及び特徴を所定の形態に結合したものである。各構成要素または特徴は、別の明示的な言及がない限り、選択的なものとして考慮すればよい。各構成要素または特徴は、他の構成要素や特徴と結合しない形態で実施してもよい。また、一部の構成要素及び／または特徴を結合して本発明の実施例を構成してもよい。本発明の実施例で説明される動作の順序は変更可能である。ある実施例の一部構成や特徴は、他の実施例に含まれてもよく、他の実施例の対応する構成または特徴に代わってもよい。特許請求の範囲で明示的な引用関係を有しない請求項を結合して実施例を構成したり、出願後の補正により新しい請求項として含めることもできることは明らかである。
【００８９】
本発明に係る実施例は、様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【００９０】
ファームウェアやソフトウェアによる具現の場合、本発明の一実施例に係る方法は、以上で説明された機能または動作を行うモジュール、手順または関数などの形態で具現することができる。メモリユニットにソフトウェアコードを記憶してプロセッサにより駆動することができる。メモリユニットは、プロセッサの内部または外部に設けられて、周知の様々な手段によりプロセッサとデータを授受することができる。
【００９１】
本発明は本発明の精神及び必須特徴から逸脱しない範囲で他の特定の形態に具体化できるということは当業者には自明である。そのため、上記の詳細な説明はいずれの面においても制約的に解釈されてはならず、例示的なものとして考慮しなければならない。本発明の範囲は、添付した請求項の合理的解釈により決定すべきものであり、本発明の等価的範囲内における変更はいずれも本発明の範囲に含まれる。
【産業上の利用可能性】
【００９２】
無線通信システムでＨＡＲＱ手法に基づいてデータを再伝送する装置及び方法は、ＩＥＥＥ  ８０２、３ＧＰＰ  ＬＴＥなどの移動通信システムに適用することができる。
【図１】
0005639173.tif 000013
【図２】
0005639173.tif 000014
【図３】
0005639173.tif 000015
【図４】
0005639173.tif 000016
【図５】
0005639173.tif 000017
【図６】
0005639173.tif 000018
【図７】
0005639173.tif 000019
【図８】
0005639173.tif 000020
【図９】
0005639173.tif 000021